(57)【要約】【課題】流水部材の確実な固定性を確保した上で高さ位置調節を迅速に行うことができるようにする。【解決手段】排水管Ｐを保持する保持部材４０と、この保持部材４０を所定の高さ位置で支持する支柱３０と、設定された保持部材４０の高さ位置を位置決めする位置決め具５０とを備えてなり、前記位置決め具５０は、支柱３０との係止で昇降が規制される係止位置と、支柱３０との係止が解除されることにより昇降が許容される係止解除位置との間で位置変更可能な係止金具５２を備えて構成されているとともに、係止金具５２には当該係止金具５２の位置変更を操作するための操作片５６が設けられ、かかる係止金具５２は、操作片５６を摘持して行うスライド操作で係止位置および係止解除位置が変更可能になっている。【選択図】  図１
2004183680.tif 000002
【特許請求の範囲】
【請求項１】
排水管等の流水部材を保持する保持部材と、この保持部材を所定の高さ位置で支持する支持部材と、前記保持部材と連動して設定された保持部材の高さ位置を位置決めする位置決め具とを備えてなる流水部材の固定装置において、前記支持部材は保持部材を支持し得るように構成された少なくとも１本の支柱を備え、前記位置決め具は、支柱との係止により保持部材の昇降が規制される係止位置と、支柱との係止が解除されることにより保持部材の昇降が許容される係止解除位置との間で位置変更可能な係止体と、該係止体の位置変更を操作するための操作部とを備え、前記係止体は、操作部によるスライド操作で係止位置および係止解除位置が変更可能に構成されてなることを特徴とする流水部材の固定装置。
【請求項２】
前記支柱には複数の装着孔が狭小隙間を介して連通するように連設されてなる上下方向に延びた長尺孔が設けられ、前記係止体は、前記装着孔に対応した係止突起を有し、係止位置に位置設定されることによる該係止突起の装着孔への嵌り込みによって昇降が規制される一方、係止解除位置に位置設定されることによる前記係止突起の装着孔からの抜け出しによって前記規制が解除されるように構成されてなる請求項１記載の流水部材の固定装置。
【請求項３】
前記支柱は、保持部材を挟持し得るように対面距離が可変に構成された一対からなる請求項１または２記載の流水部材の固定装置。
【請求項４】
前記係止体は、前記支持部材と面接触し得る板体によって形成されているとともに、中央部に長尺孔の狭小隙間を通過し得る所定の軸体が貫通可能な長孔状の逃し孔を有し、前記軸体が逃し孔、長尺孔および保持部材に抜け止めされるように嵌挿された状態で前記係止体が支持部材と摺接しながら前記係止突起を前記装着孔に嵌め込む係止位置と、前記係止突起を装着孔から抜け出させる係止解除位置との間で位置変更し得るように前記逃し孔の形状が設定されてなる請求項２または３記載の流水部材の固定装置。
【請求項５】
前記係止突起は、板体の一部が切り起されることによって形成したＶ字状係止片によって形成されてなることを特徴とする請求項２乃至４のいずれかに記載の流水部材の固定装置。
【請求項６】
前記支柱には、上端縁から前記長尺孔に連通した開口が設けられ、該開口は、前記軸体が通過し得るように口幅寸法が設定されてなる請求項４記載の流水部材の固定装置。
【発明の詳細な説明】
【０００１】
【発明の属する技術分野】
本発明は、排水管などの流水部材の固定装置に関するものであり、特に、流水部材の現地施工の効率化を図ることが可能な流水部材の固定装置に関するものである。
【０００２】
【従来の技術】
従来、図６に示すような排水管（流水部材）Ｐの固定装置１００が知られている。この固定装置１００は、例えば建屋内で発生した各種の汚水を排出するために床下のコンクリート基礎Ｓに敷設される排水管Ｐを固定するためのものであり、細長い矩形状のベース板１０１と、このベース板１０１の両側部から立設された一対のねじ軸１０２と、両側部が各ねじ軸１０２に外嵌されることによって当該ねじ軸１０２に装着される上下一対のバンド体１０３と、各バンド体１０３がねじ軸１０２に外嵌された状態で当該上下一対のバンド体１０３を挟持して締結する各ねじ軸１０２当り２個のナット１０６とからなっている。
【０００３】
前記バンド体１０３は、各側部に設けられた一対の座金部１０４と、これら一対の座金部１０４間に形成された円弧部１０５とから構成されている。かかるバンド体１０３は、各座金部１０４がねじ軸１０２に外嵌された状態で上下の円弧部１０５によって排水管Ｐを挟持し得るようになっている。そして、上下の円弧部１０５によって排水管Ｐが挟持された状態で、各ねじ軸１０２に螺着されている上下のナット１０６で各座金部１０４を締結することにより、排水管Ｐが固定装置１００に固定されることになる。
【０００４】
このような固定装置１００は、ベース板１０１を介してアンカーボルト１０７をコンクリート基礎Ｓ内に螺着し締結することによりコンクリート基礎Ｓ上に敷設されるようになっている。
【０００５】
【発明が解決しようとする課題】
ところで排水管Ｐは、通常、自然流下で汚水を流出させるようになされているため、上流側から下流側に向けて先下がりに傾斜するように敷設されている。したがって、バンド体１０３は、この傾斜に合わせて高さ位置が調節されなければならないが、この高さ位置の調節は、ねじ軸１０２に螺着されているナット１０６を回転操作することによって行われるため昇降速度が非常に遅く、コンクリート基礎Ｓ上に多数敷設された固定装置１００の全てを対象としてかかる作業を行うためには多数の時間を要し、排水管Ｐの敷設工事が極めて非効率なものなるという問題点を有していた。
【０００６】
本発明は、かかる状況に鑑みなされたものであり、流水部材の確実な固定性を確保した上で迅速な高さ位置調節を行うことが可能であり、これによって流水部材の敷設工事の効率化を図ることができる排水管等の流水部材の固定装置を提供することを目的としている。
【０００７】
【課題を解決するための手段】
請求項１記載の発明は、排水管等の流水部材を保持する保持部材と、この保持部材を所定の高さ位置で支持する支持部材と、前記保持部材と連動して設定された保持部材の高さ位置を位置決めする位置決め具とを備えてなる流水部材の固定装置において、前記支持部材は保持部材を支持し得るように構成された少なくとも１本の支柱を備え、前記位置決め具は、支柱との係止により保持部材の昇降が規制される係止位置と、支柱との係止が解除されることにより保持部材の昇降が許容される係止解除位置との間で位置変更可能な係止体と、該係止体の位置変更を操作するための操作部とを備え、前記係止体は、操作部によるスライド操作で係止位置および係止解除位置が変更可能に構成されてなることを特徴とするものである。
【０００８】
この発明によれば、係止体は、操作部のワンタッチのスライド操作で係止位置と係止解除位置との間で位置変更し得るように構成されているため、従来のようにボルト締め等の面倒な操作を行うことなく保持部材の高さ位置調節および位置決めを容易に行うことができ、流水部材固定装置の現地施工の迅速性を確保する上で有効である。
【０００９】
請求項２記載の発明は、請求項１記載の発明において、前記支柱には複数の装着孔が狭小隙間を介して連通するように連設されてなる上下方向に延びた長尺孔が設けられ、前記係止体は、前記装着孔に対応した係止突起を有し、係止位置に位置設定されることによる該係止突起の装着孔への嵌り込みによって昇降が規制される一方、係止解除位置に位置設定されることによる前記係止突起の装着孔からの抜け出しによって前記規制が解除されるように構成されてなることを特徴とするものである。
【００１０】
この発明によれば、係止解除位置に位置設定された状態の係止体は、係止突起が装着孔から抜け出した状態になっているため、操作部を摘持して上下方向に力を加えることにより、当該係止体を長尺孔の狭小隙間を介して支柱に沿って昇降させることができ、これによって保持部材の高さ位置を調節することができる。
【００１１】
保持部材の高さ位置が調節された状態で、操作部を所定の方向にスライド操作して係止体の係止突起を装着孔に嵌め込むことにより、係止体は昇降し得なくなるため、保持部材を設定された高さ位置で支柱に固定することができる。
【００１２】
請求項３記載の発明は、請求項１または２記載の発明において、前記支柱は、保持部材を挟持し得るように対面距離が可変に構成された一対からなることを特徴とするものである。
【００１３】
この発明によれば、保持部材は一対の支柱に挟持されるため、支柱が１本である場合に比較して当該保持部材の支柱による支持状態がさらに安定したものになる。
【００１４】
請求項４記載の発明は、請求項２または３記載の発明において、前記係止体は、前記支持部材と面接触し得る板体によって形成されているとともに、中央部に長尺孔の狭小隙間を通過し得る所定の軸体が貫通可能な長孔状の逃し孔を有し、前記軸体が逃し孔、長尺孔および保持部材に抜け止めされるように嵌挿された状態で前記係止体が支持部材と摺接しながら前記係止突起を前記装着孔に嵌め込む係止位置と、前記係止突起を装着孔から抜け出させる係止解除位置との間で位置変更し得るように前記逃し孔の形状が設定されてなることを特徴とするものである。
【００１５】
この発明によれば、操作部を摘持して係止体を逃し孔の延びる方向に正逆スライド操作することにより、係止体は、係止突起が装着孔から抜け出して軸体の狭小隙間の通過で高さ位置が調節可能な係止解除位置と、係止突起が装着孔に嵌り込むことによ昇降が規制された係止位置との間で位置変更を行うことができる。
【００１６】
請求項５記載の発明は、請求項２乃至４のいずれかに記載の発明において、前記係止突起は、板体の一部が切り起されることによって形成したＶ字状係止片によって形成されてなることを特徴とするものである。
【００１７】
この発明によれば、係止突起を板体の一部の切り起しで形成させるＶ字状係止片とすることにより、係止体の位置変更構造が簡単なものになるとともに、別途係止突起用の専用の部材を板体に付設する必要がなくなり、これによって部品点数の削減化に貢献する。
【００１８】
請求項６記載の発明は、請求項４記載の発明において、前記支柱には、上端縁から前記長尺孔に連通した開口が設けられ、該開口は、前記軸体が通過し得るように口幅寸法が設定されてなることを特徴とするものである。
【００１９】
この発明によれば、保持部材に連結された軸体を開口から嵌め込むことによって係止体を支柱に装着することが可能になり、保持部材の支柱に対する装着操作が容易になる。特に支柱が２本の場合は、一対の支柱間の距離を予め設定した状態で一対の係止体を支柱頂部から各長尺孔に装着することが可能になり、保持部材の支持部材に対する装着操作の迅速化に貢献する。
【００２０】
【発明の実施の形態】
図１は、本発明に係る流水部材の固定装置１０の一実施形態を示す分解斜視図である。また、図２および図３はその組立て斜視図であり、図２は、位置決め具５０が係止位置に位置設定されることにより保持部材４０の高さ位置が固定された状態、図３は、位置決め具５０が係止解除位置に位置設定されることにより保持部材４０の高さ位置が調節され得るようになった状態をそれぞれ示している。
【００２１】
これらの図に示すように、固定装置１０は、コンクリート基礎Ｓ（図２）に固定されるベース部材２０と、このベース部材２０に装着される一対の支柱３０と、これら一対の支柱３０間に介設される排水管（流水部材）Ｐを保持するための保持部材４０と、この保持部材４０の設定された高さ位置を固定するための位置決め具５０とを備えた基本構成を有している。
【００２２】
前記ベース部材２０は、本実施形態においては、断面視でＵ字形状を呈した鋼材等の金属材料によって形成されている。かかるベース部材２０は、長尺で矩形状の平板部２１と、この平板部２１の両側部から上方に向けて突設され平板部２１の全長に亘って延びる幅方向一対の縁堰２２とからなり、平板部２１がコンクリート基礎Ｓに接地された状態で当該平板部２１の両端部がアンカーボルト２３によってコンクリート基礎Ｓに固定されることによりベース部材２０がコンクリート基礎Ｓ上に敷設されるようになっている。
【００２３】
前記ベース部材２０の平板部２１には、図１における右方位置に幅方向中央部で長手方向に延びる遊び孔２４が穿設されている。この遊び孔２４は、右側の支柱３０の左右動を案内するためのものである。
【００２４】
前記支柱３０は、外幅寸法がベース部材２０の縁堰２２間の内寸法より僅かに小さく寸法設定された断面視でＵ字形状を呈する鋼材等の金属材料によって形成されている。かかる支柱３０は、ベース部材２０の平板部２１上に立設される支柱本体３１と、この支柱本体３１の基端部から対向方向に向けて直角に折り曲げられた状態で形成した据付座部３２とからなっている。
【００２５】
支柱本体３１および据付座部３２の幅方向両側部には、Ｌ字状を呈する支柱３０の内角側に向かって突出した縁堰３３が設けられている。支柱本体３１の縁堰３３間には垂直板３４が形成されているとともに、据付座部３２の縁堰３３間には水平板３５が形成されている。このような支柱３０は、一対が各据付座部３２を互いに対向させた状態でベース部材２０の縁堰２２間に装着されることにより一対の支柱本体３１がベース部材２０上で互いに対向配置で立設されるようになっている。
【００２６】
そして、本実施形態においては、一方の支柱３０（図１〜図３に示す例では左方の支柱３０）は、その据付座部３２がベース部材２０の縁堰２２間に嵌め込まれた状態で、平板部２１を下面側から貫通したリベット２５が水平板３５の中央部に穿孔された貫通孔に嵌入され、かしめ処理されることによってベース部材２０に固定されている。
【００２７】
これに対し、他方の支柱３０（図１〜図３に示す例では右方の支柱３０）は、その据付座部３２がベース部材２０の縁堰２２間に嵌め込まれた状態で、平板部２１の遊び孔２４を下面側から貫通したリベット２５が水平板３５の中央部に穿孔された貫通孔に嵌入され、かしめ処理されることによってベース部材２０に装着されている。したがって、右側の支柱３０は、リベット２５が遊び孔２４に案内されつつ当該遊び孔２４の範囲内で左右方向に正逆移動し、排水管Ｐの径寸法に応じて一対の支柱本体３１間の間隔寸法を変化させ得るようになっている。
【００２８】
また、各支柱本体３１の垂直板３４には、上下方向に延びる長尺孔３７が穿設されている。この長尺孔３７は、菱形状を呈した菱形孔（装着孔）３８の複数個が一部を重ね合せながら上下方向に連設されることによって形成されている。そして、互いに隣接した菱形孔３８の重なり合っている部分には、幅寸法が菱形孔３８の横寸法より小さな狭小隙間３８ａが形成されている。かかる長尺孔３７を介して位置決め具５０が支柱本体３１に装着される。
【００２９】
かかる長尺孔３７を備えた支柱本体３１の上端面には長尺孔３７に連通した開口３８ｂが設けられている。この開口３８ｂは、位置決め具５０を長尺孔３７内へ導くためのものであり、開口幅が長尺孔３７の狭小隙間３８ａの隙間寸法と同一に寸法設定されている。
【００３０】
前記保持部材４０は、排水管Ｐを挟み込んで保持するためのものであり、帯状の金属材料が円弧状に折り曲げ処理されることによって形成されている。かかる保持部材４０は、半円状の配管受け部４１と、この配管受け部４１の上方位置に形成された幅方向一対の配管抜止め部４２と、配管受け部４１の上端部と、配管抜止め部４２の下端部との間に介設され、かつ、コ字形状を呈して外方に向けて突設された一対のコ字状部４３とを備えて構成されている。
【００３１】
前記配管受け部４１は、内面側が保持するべき排水管Ｐの外径（半径）寸法と等しい曲率半径を有しており、これによって排水管Ｐが配管受け部４１に密着状態で支持されるようになっている。
【００３２】
前記各配管抜止め部４２は、排水管Ｐの外周面に密着し得る曲率半径を備えた円弧状の配管押え部４２ａと、各配管押え部４２ａの上端部から互いに離間する方向に向けて斜め上方に延設された案内片４２ｂとからなっている。案内片４２ｂは、保持部材４０に装着される排水管Ｐを案内するためのものであり、一対の案内片４２ｂに排水管Ｐを支持させた状態で、当該排水管Ｐを下方に向かって押圧することにより、案内片４２ｂが配管押え部４２ａの弾性力に抗して互いに離間し、これによって排水管Ｐは一対の案内片４２ｂ間をすり抜けて保持部材４０内に嵌り込み、配管受け部４１に保持されることになる。
【００３３】
前記各コ字状部４３は、保持部材４０の支柱本体３１への接続用として使用されるものであり、位置決め具５０を構成する後述の軸体５１の頭部５１ｂを納め得るように互いに離間方向に膨出して形成され、外面が各支柱本体３１の対向面と密着し得る対向面を備えた平板状の軸座４３ａをそれぞれ備えている。各軸座４３ａには、摺接状態で後述の軸体５１を挿通する挿通孔４３ｂがそれぞれ穿設されている。
【００３４】
前記位置決め具５０は、前記長尺孔３７との関連で保持部材４０の高さ位置を固定するためのものである。以下、図４を基に位置決め具５０について詳細に説明する。図４は、位置決め具５０の一実施形態を示す斜視図であり、（イ）は分解斜視図、（ロ）は組立て斜視図である。なお、図４においては、支柱３０および保持部材４０との位置関係を示すために、図中に支柱３０および保持部材４０を描いている。
【００３５】
図４に示すように、位置決め具５０は、軸体５１と、この軸体５１が貫通される係止金具５２とを備えた基本構成を有している。前記軸体５１は、本実施形態においては、筒状に形成された軸体本体５１ａと、この軸体本体５１ａの一端部に同心で形成された軸体本体５１ａより大径の頭部５１ｂとからなっている。本実施形態では、軸体５１として軸体本体５１ａが筒体からなるいわゆる中空リベットが採用されている。軸体本体５１ａは、外径寸法が保持部材４０のコ字状部４３の軸座４３ａに穿設された挿通孔４３ｂより僅かに小さく径設定され、これによって摺接状態で挿通孔４３ｂに嵌挿され得るようになっている。
【００３６】
前記係止金具５２は、板バネ材からなる原料板材をプレスすることによる打ち抜き処理で形成されている。かかる係止金具５２は、平板状の係止板（係止体）５３と、この係止板５３に設けられたＶ字状係止片（係止突起）５４と、係止板５３の略中央位置に穿設された長孔状の逃し孔５５と、係止板５３の一方の側部から折り曲げられた状態で形成した操作片（操作部）５６とを備えて構成されている。
【００３７】
前記係止板５３は、本実施形態においては、正面視で横向きのТ字状に形成され、Т字の横棒に当る基端部５３ｂ（図４）と、この基端部５３ｂの図４における右縁部から右方へ向けて延設されたТ字の縦棒に当る係止板本体５３ａとからなっている。
【００３８】
前記Ｖ字状係止片５４は、支柱本体３１の長尺孔３７の菱形孔３８に嵌め込まれるものであり、一対が基端部５３ｂの上下の右縁部から係止板５３を挟むようにして右方に向けて突設されている。かかる各Ｖ字状係止片５４は、山部（山状の部分）５４ａが支柱本体３１の垂直板３４と対向するように係止板５３の基端部５３ｂから右方へ向けて突設され、自由端である先端部が係止板本体５３ａの上下の縁部に位置するようになっている。そして、Ｖ字状係止片５４は、係止板５３が垂直板３４に密着された状態で山部５４ａが菱形孔３８に嵌り込み得るように形状設定されている。
【００３９】
前記逃し孔５５は、軸体本体５１ａを摺接状態で挿通するためのものであり、係止板本体５３ａの略中央位置で横方向に延びるように穿設されている。かかる逃し孔５５は、左右の端部が半円状に形成され、図４における左側の半円状の部分の曲率中心が、前記Ｖ字状係止片５４の山部５４ａの頂点と上下で対応するように位置設定されているとともに、同右側の部分がＶ字状係止片５４の先端部を越えてさらに右方へ延設されている。
【００４０】
因みに、逃し孔５５の長手方向の長さ寸法は、左方の半円状を呈した部分の曲率半径の３倍を越える寸法とされることにより、位置決め具５０による保持部材４０の昇降係止および係止解除を行い得るが、本実施形態においては、余裕を見て同４倍強に設定されている。
【００４１】
前記操作片５６は、これを把持して係止金具５２を横方向に正逆移動させるためのものであり、本実施形態においては、係止板５３のＶ字状係止片５４と反対側の側縁部から後方（図４で支柱本体３１から離間する方向）ヘ向けて延設されている。
【００４２】
このように構成された位置決め具５０は、保持部材４０のコ字状部４３の挿通孔４３ｂに裏側から挿通された軸体本体５１ａが、図４の（イ）に一点鎖線の矢印で示すように、支柱本体３１の長尺孔３７を介して係止金具５２の逃し孔５５に挿通された状態で先端部にワッシャ５７が外嵌され、しかる後に軸体本体５１ａの先端部がかしめ処理されることにより、図４の（ロ）に示すように、保持部材４０および支柱３０に装着された状態になる。
【００４３】
なお、図４に基づく説明が容易なように、軸体本体５１ａが挿通孔４３ｂおよび長尺孔３７に挿通された後に逃し孔５５に挿通されて位置決め具５０が支柱３０及び保持部材４０に同時に装着されるように説明したが、実際は、位置決め具５０が支柱本体３１を除いて保持部材４０のコ字状部４３の挿通孔４３ｂに嵌入された軸体本体５１ａに外嵌される。このとき係止板５３と保持部材４０の軸座４３ａとの間には、支柱本体３１の垂直板３４の厚み寸法より若干広めの隙間が形成されるようにする。しかる後、軸体本体５１ａにワッシャ５７を外嵌し、引き続き前記隙間を維持しつつ軸体本体５１ａの先端にかしめ処理を施す。この状態で前記隙間部分の軸体本体５１ａが垂直板３４の頂部の開口３８ｂ（図１〜図３）を介して長尺孔３７内に導入されることにより、保持部材４０を備えた位置決め具５０が支柱本体３１に装着された状態となる。
【００４４】
そして、保持部材４０に連結された位置決め具５０が支柱３０に装着された状態において、係止金具５２は、図２に示す係止位置と、図３に示す係止解除位置との間で位置変更可能になっている。
【００４５】
係止金具５２が係止位置に位置設定された状態では、操作片５６が支柱本体３１側へ操作されることで係止板５３が右方へ向けてスライドし、これによってＶ字状係止片５４の山部５４ａが菱形孔３８に嵌まり込み（図４の（ロ））、これによって保持部材４０の昇降が規制される。これに対し、係止金具５２が係止解除位置に位置設定された状態では、操作片５６が支柱本体３１から離間する方向に操作されることで、Ｖ字状係止片５４の山部５４ａの菱形孔３８に対する嵌り込みが解消され、これによって保持部材４０は昇降し得るようになる。
【００４６】
図５は、位置決め具５０の作用を説明するため説明図であり、（イ）は、係止金具５２が係止位置に位置設定された状態、（ロ）は、係止金具５２が係止解除位置に位置設定された状態をそれぞれ示している。因みに図５において、（イ）および（ロ）の右に付された添え字の▲１▼は、内側から支柱本体３１に対面した図であり、添え字の▲２▼は、▲１▼の図のＡ−Ａ線断面図であることを示している。
【００４７】
まず、係止金具５２が係止位置に位置設定された状態（図５の（イ）−▲１▼に示すように、係止金具５２が右方に移動された状態）では、上下一対のＶ字状係止片５４の山部５４ａが支柱本体３１の菱形孔３８に嵌り込み、これによって位置決め具５０の昇降（すなわち保持部材４０の昇降）が規制され、排水管Ｐの高さ位置が位置設定された状態になっている。
【００４８】
この状態で操作片５６を摘んで係止金具５２を図５の紙面の左方に向けて移動させると、各Ｖ字状係止片５４は、菱形孔３８の左縁部との干渉で垂直板３４から離間する方向に向けて弾性変形しながら左方に向けて移動し、図５の（ロ）−▲１▼および▲２▼に示すように、山部５４ａが菱形孔３８から完全に外れて長尺孔３７の左側の垂直板３４に押圧当接した状態になる。この状態では、軸体本体５１ａが狭小隙間３８ａを通過し得るため、操作片５６を摘持して位置決め具５０を昇降させることができる。
【００４９】
そして、位置決め具５０を昇降させて新たな高さ位置が設定された後に、今度は操作片５６を右方に向けて移動させると、各Ｖ字状係止片５４の山部５４ａが、図５の（イ）に示すように、再度新たな高さ位置で菱形孔３８に嵌り込み、これによって保持部材４０、すなわち排水管Ｐの高さ位置が固定されることになる。
【００５０】
以上詳述したように、本発明の排水管Ｐの固定装置１０は、排水管Ｐを保持する保持部材４０と、この保持部材４０を所定の高さ位置で支持する支柱３０と、設定された保持部材４０の高さ位置を位置決めする位置決め具５０とを備えてなる基本構成を有し、前記支柱３０は保持部材４０を昇降可能に支持し得るようになっている。
【００５１】
そして、前記位置決め具５０は、支柱３０との係止で昇降が規制される係止位置と、支柱３０との係止が解除されることにより昇降が許容される係止解除位置との間で位置変更可能な係止金具５２を備えて構成されているとともに、係止金具５２には当該係止金具５２の位置変更を操作するための操作片５６が設けられ、かかる係止金具５２は、操作片５６を摘持して行うスライド操作で係止位置および係止解除位置が変更可能になっているため、従来のようにボルト締め等の面倒な操作を行うことなく保持部材４０の高さ位置調節および調節後の固定を容易に行うことができ、固定装置１０を用いた排水管Ｐの現地施工の迅速性を確保することができる。
【００５２】
また、前記支柱３０には複数の菱形孔３８が狭小隙間３８ａを介して連通するように連設されてなる上下方向に延びた長尺孔３７が設けられ、前記係止金具５２は、前記菱形孔３８に対応したＶ字状係止片５４を有しているとともに、係止位置に位置設定されることによる該Ｖ字状係止片５４の山部５４ａの菱形孔３８への嵌り込みによって昇降が規制される一方、係止解除位置に位置設定されることによる前記Ｖ字状係止片５４の菱形孔３８からの抜け出しによって前記規制が解除されるように構成されている。
【００５３】
したがって、係止解除位置に位置設定された状態の係止金具５２は、Ｖ字状係止片５４の山部５４ａが菱形孔３８から抜け出した状態になっているため、操作片５６を摘持して上下方向に力を加えることにより、当該係止金具５２を長尺孔３７の狭小隙間３８ａを介して支柱３０に沿って昇降させることができ、これによって保持部材４０の高さ位置を調節することができる。
【００５４】
そして、保持部材４０の高さ位置が調節された状態で、操作片５６を所定の方向にスライド操作して係止金具５２のＶ字状係止片５４を菱形孔３８に嵌め込むことにより、係止金具５２は昇降し得なくなるため、保持部材４０を設定された高さ位置で支柱３０に固定することができる。
【００５５】
また、前記支柱３０は、保持部材４０を挟持し得るように対面距離が可変に構成された一対を備えているため、保持部材４０は一対の支柱３０に挟持された状態になり、支柱３０が１本である場合に比較して当該保持部材４０の支柱３０による支持状態をさらに安定したものとすることができる。
【００５６】
そして、係止金具５２は、前記支柱３０と面接触し得る板体によって形成されているとともに、当該係止金具５２の中央部には、長尺孔３７の狭小隙間３８ａを通過し得る軸体本体５１ａが貫通可能な長孔状の逃し孔５５が穿設され、前記Ｖ字状係止片５４は、係止板５３の一部が切り起されることによって形成され、前記軸体本体５１ａが逃し孔５５、長尺孔３７および保持部材４０に抜け止めされるように嵌挿された状態で前記係止金具５２が支柱３０と摺接しながらＶ字状係止片５４を前記菱形孔３８に嵌め込む係止位置と、Ｖ字状係止片５４を弾性変形により菱形孔３８から抜け出させる係止解除位置との間で位置変更し得るように前記逃し孔５５の孔長寸法が設定されている。
【００５７】
したがって、操作片５６を摘持して係止金具５２を逃し孔５５の延びる方向に正逆スライド操作することにより、係止金具５２は、Ｖ字状係止片５４が菱形孔３８から抜け出して軸体本体５１ａの狭小隙間３８ａの通過で高さ位置が調節可能な係止解除位置と、Ｖ字状係止片５４の山部５４ａが菱形孔３８に嵌り込むことにより昇降が規制された係止位置との間で位置変更を行うことができ、これによって係止金具５２の位置変更構造を簡単なものにすることができる。
【００５８】
さらに、支柱３０には、上端縁から前記長尺孔３７に連通した開口３８ｂが設けられ、該開口３８ｂは、前記軸体本体５１ａが通過し得るように口幅寸法が設定されているため、保持部材４０に連結された軸体本体５１ａを開口３８ｂから嵌め込むことによって係止金具５２を支柱３０に装着することが可能になり、保持部材４０の支柱３０に対する装着操作が容易になる。特に支柱３０が２本の場合は、一対の支柱３０間の距離を予め設定した状態で一対の係止金具５２を支柱３０頂部から各長尺孔３７に装着することが可能になり、保持部材４０の支柱３０に対する装着操作の迅速化に貢献することができる。
【００５９】
本発明は、前記の実施形態に限定されるものではなく、以下の内容をも包含するものである。
【００６０】
（１）上記の実施形態においては、支持部材としての支柱３０は一対が採用され、当該一対の支柱３０で保持部材４０を挟持するようになされているが、本発明は、支柱３０が一対で設けられることに限定されるものではなく、１本のみの支柱３０であっても保持部材４０を支持することができる。そして、一対の支柱３０の場合には排水管Ｐの径寸法に合わせて一対の支柱３０間の距離を調節しなければならないが、支柱３０が１本の場合にはかかる面倒な操作を行う必要がなくなり、その分保持部材４０の支柱３０に対する装着操作の作業性が良好になるとともに汎用性が向上する。
【００６１】
（２）上記の実施形態においては、一対の支柱３０の内の一方のものだけがベース部材２０に案内されながら水平方向に移動し得るようになっているが、本発明は、一方の支柱３０のみが移動し得るように構成されていることに限定されるものではなく、両方の支柱３０が移動し得るように構成してもよい。
【００６２】
（３）上記の実施形態においては、保持部材４０が支柱３０に装着された状態で、配管抜止め部４２間を覆うカバー体を設けるようにしてもよい。これによって排水管Ｐの上方へ向かう抜け出しをより確実に防止することができる。
【００６３】
（４）上記の実施形態においては、保持部材４０に配管抜止め部４２が設けられているが、本発明は、保持部材４０に配管抜止め部４２を設けることに限定されるものではなく、排水管Ｐの敷設状況によっては特に設けなくても配管受け部４１のみで排水管Ｐを支持することができる。
【００６４】
（５）上記の実施形態においては、支柱本体３１の垂直板３４に穿設される長尺孔３７は、菱形孔３８の複数個が一部を重ね合せながら上下方向に連設されることによって形成されているが、こうする代わりに菱形孔３８の複数個を、一部を重ね合せることなく他とは独立した状態で穿設し、隣接する菱形孔３８間に狭小隙間３８ａに相当する連絡隙間を設けるようにしてもよい。
【００６５】
（６）上記の実施形態においては、装着孔として菱形形状を呈した菱形孔３８が採用されているが、本発明は、装着孔が菱形孔３８であることに限定されるものではなく、円孔や楕円孔であってもよいし、正方形状または長方形状を呈した横辺が水平方向へ延びる四角孔であってもよい。
【００６６】
（７）上記の実施形態の軸体本体５１ａにワッシャ５７が外嵌されているが、ワッシャ５７は必須ではなく、特に設けずに軸体本体５１ａの先端部にかしめ処理を施して軸体５１の抜け止めを図るようにしてもよい。
【００６７】
【発明の効果】
本発明の流水部材の固定装置によれば、保持部材の高さ位置を固定するための位置決め具の構成要素である係止体は、スライド操作で係止位置および係止解除位置間で位置変更し得るように構成されているため、従来のようにボルト締め等の面倒な操作を行うことなく保持部材の高さ位置調節を容易に行うことができ、流水部材固定装置の現地施工の迅速性を確保することができる。
【図面の簡単な説明】
【図１】本発明に係る流水部材の固定装置の一実施形態を示す分解斜視図である。
【図２】図１の固定装置の組立て斜視図であり、保持部材の高さ位置が固定された状態を示している。
【図３】図１の固定装置の組立て斜視図であり、保持部材の高さ位置を調節し得る状態を示している。
【図４】本発明に係る位置決め具の一実施形態を示す図であり、（イ）は分解斜視図、（ロ）は組立て斜視図である。
【図５】第１実施形態の位置決め具の作用を説明するため説明図であり、（イ）は、係止金具が係止位置に位置設定された状態、（ロ）は、係止金具が係止解除位置に位置設定された状態をそれぞれ示している。
【図６】従来の排水管の固定装置を示す斜視図である。
【符号の説明】
１０  固定装置              ２０  ベース部材
２１  平板部                ２２  縁堰
２３  アンカーボルト        ２４  遊び孔
２５  リベット              ３０  支柱
３１  支柱本体              ３２  据付座部
３３  縁堰                  ３４  垂直板
３５  水平板                ３７  長尺孔
３８ａ  狭小隙間            ３８ｂ  開口
３８  菱形孔                ４０  保持部材
４１  配管受け部            ４２ｂ  案内片
４２  配管抜止め部          ４２ａ  配管押え部
４３  コ字状部              ４３ａ  軸座
４３ｂ  挿通孔              ５０  位置決め具
５１  軸体                  ５１ａ  軸体本体
５１ｂ  頭部                ５２  係止金具
５３  係止板（係止体）      ５３ａ  係止板本体
５３ｂ  基端部              ５４  Ｖ字状係止片（係止突起）
５４ａ  山部                ５５  逃し孔
５６  操作片                ５７  ワッシャ
Ｐ  排水管                  Ｓ  コンクリート基礎
【図１】
2004183680.tif 000003
【図２】
2004183680.tif 000004
【図３】
2004183680.tif 000005
【図４】
2004183680.tif 000006
【図５】
2004183680.tif 000007
【図６】
2004183680.tif 000008